(57)【要約】    【課題】作成済みのアイソレーションリストの登録による器機の関連情報を利用して効率的にアイソレーションリストを作成可能とする。    【解決手段】アイソレーション機器の主従関係の情報が付加されたアイソレーションリストを履歴ファイルに保存する。範囲設定部４２は画面表示された設備の系統図に対する指定操作に基づいてアイソレーション範囲を設定する。主機器登録部４４は、設定範囲に存在するアイソレーション機器を抽出して主機器として編集中のアイソレーションリストに登録する。従機器検索部４６は、編集中のアイソレーションリストから主機器を順次選択し、選択され主機器に対し従機器の関係にあるアイソレーション機器を履歴ファイルから検索して従機器リストを表示する。従機器登部４８は、従機器リストの選択操作に基づいて選択された従機器を編集中のアイソレーションリストの対応する主機器の後に挿入配置してリストを完成させる。    【選択図】      図１
2006178598.tif 000002
【特許請求の範囲】
【請求項１】
コンピュータに、
アイソレーション機器の主従関係の情報が付加されたアイソレーションリストを履歴ファイルに保存する保存ステップと、
画面表示された設備の系統図に対する指定操作に基づいてアイソレーション範囲を設定する範囲設定ステップと、
前記設定範囲に存在するアイソレーション機器を抽出して主機器として編集中のアイソレーションリストに登録する主機器登録ステップと、
前記編集中のアイソレーションリストから主機器を順次選択し、該選択され主機器に対し従機器の関係にあるアイソレーション機器を前記履歴ファイルから検索して従機器リストを表示する従機器検索ステップと、
前記従機器リストの選択操作に基づいて選択された従機器を前記編集中のアイソレーションリストの対応する主機器の後に挿入配置してリストを完成させる従機器登録ステップと、
を実行させることを特徴とするプログラム。
【請求項２】
請求項１記載のプログラムに於いて、前記アイソレーションリストは、更に、従機器の設定を解除する関連削除情報を表示項目として備え、メンテナンス処理により必要に応じて前記関連削除情報を有効に設定してリスト内容を変更せずに主従関係を解除させることを特徴とするプログラム。
【請求項３】
請求項１記載のプログラムに於いて、
前記範囲設定ステップは、前記系統図としてＣＡＤ図面を表示し、前記ＣＡＤ図面の中の保守対象機器の指定操作に基づいてアイソレーション範囲を自動設定し、
前記従機器検索ステップは、前記ＣＡＤ図面上の主機器の指定操作に対し、該指定され主機器に対し従機器の関係にあるアイソレーション機器を前記履歴ファイルから検索して従機器リストをウインドウ表示することを特徴とするプログラム。
【請求項４】
コンピュータ支援によるアイソレーションリスト作成方法に於いて、
アイソレーション機器の主従関係の情報が付加されたアイソレーションリストを履歴ファイルに保存する履歴保存ステップと、
画面表示された設備の系統図に対する指定操作に基づいてアイソレーション範囲を設定する範囲設定ステップと、
前記設定範囲に存在するアイソレーション機器を抽出して主機器として編集中のアイソレーションリストに登録する主機器登録ステップと、
前記編集中のアイソレーションリストから主機器を順次選択し、該選択され主機器に対し従機器の関係にあるアイソレーション機器を前記履歴ファイルから検索して従機器リストを表示する従機器検索ステップと、
前記従機器リストの選択操作に基づいて選択された従機器を前記編集中のアイソレーションリストの対応する主機器の後に挿入配置してリストを完成させる従機器登録ステップと、
を備えたことを特徴とするアイソレーションリスト作成方法。
【請求項５】
コンピュータ支援によるアイソレーションリスト作成装置に於いて、
アイソレーション機器の主従関係の情報が付加されたアイソレーションリストを履歴ファイルに保存する履歴保存部と、
画面表示された設備の系統図に対する指定操作に基づいてアイソレーション範囲を設定する範囲設定部と、
前記設定範囲に存在するアイソレーション機器を抽出して主機器として編集中のアイソレーションリストに登録する主機器登録部と、
前記編集中のアイソレーションリストから主機器を順次選択し、該選択され主機器に対し従機器の関係にあるアイソレーション機器を前記履歴ファイルから検索して従機器リストを表示する従機器検索部と、
前記従機器リストの選択操作に基づいて選択された従機器を前記編集中のアイソレーションリストの対応する主機器の後に挿入配置してリストを完成させる従機器登録部と、
を備えたことを特徴とするアイソレーションリスト作成装置。
【発明の詳細な説明】
【技術分野】
【０００１】
本発明は、コンピュータ支援によりプラント機器の保守点検作業に必要なアイソレーションリストを作成するアイソレーションリスト作成プログラム、方法及び装置に関し、特に、特に、アイソレーションリストを効率的かつ安全に作成するアイソレーションリスト作成プログラム、方法及び装置に関する。
【背景技術】
【０００２】
従来、原子力発電所等の大規模プラントではプラントの保守作業のために配管内を流れる流体を遮断する系統隔離操作であるアイソレーション操作を実施している。アイソレーション操作の概要は次のようになる。
【０００３】
図１７はアイソレーション操作の対象となるプラント設備の一部を画面表示した例であり、通常運転時は、図中の矢印２００の方向にポンプ２０２を通して液体・気体などの流体が流れている。ポンプ２０２の点検時には、弁２０４、２０６を閉じ、弁２０８を開けるアイソレーション操作を行うことで流体を遮断して排出し、ポンプ２０２の分解点検等を実施する。
【０００４】
このようなアイソレーション操作を伴う点検時には、安全性の考慮から、次の業務を実施する。
（１）アイソレーションリストを作成し、他の作業で違った操作をしないかチェックする。
（２）現場で操作禁止を確認可能なアイソレタグを印刷する。
【０００５】
図１７のアイソレーション操作のために作成したアイソレーションリストの簡単な例を図１８に示す。アイソレーションリストは、作業項目として「ポンプ解体作業」、作業期間「平成ｎｎ年ｍ月ｍｍ日〜平成ｎｎ年ｎ月ｎｎ日」が記載され、ポンプ解体に必要なアイソレーション機器につき機器名、設置場所、アイソレーション操作内容（アイソレ）、復旧操作内容（復旧）等を記載している。
【０００６】
従来、アイソレーションリストは手作業で作成されており、次の手順を踏んで作成される。
（１）系統図をマーカーでなぞり、アイソレーション範囲（系統隔離範囲）を決める．
（２）アイソレーション範囲にある機器のリストを作成する。
（３）機器の電源系統の図面、例えば単線結線図を参照し、スイッチ類のリストを作成する。
（４）機器のインターロックの図面、例えばシーケンス図を参照し、ジャンパ類のリストを作成する。なお、ジャンパ類は、制御盤に設けた遠隔操作スイッチによる機器の起動停止を回避するため、盤内でスイッチの配線端子をクリップでバイパスしてインターロック等をかけるためのリストである。
【０００７】
このように従来の手作業によるアイソレーションリストの作成は、非常に多数のドキュメントを参照しながら実施する非常に困難な業務である。そこで本願発明者等にあっては、アイソレーションリストの効率的な作成と安全性の確保という面から、コンピュータ支援により効率的にアイソレーションリストを作成するシステム、方法及びプログラムを提案している（特許文献１）。
【０００８】
このアイソレーションリストの作成方法としては次の手順で行われる。
（１）過去のアイソレーションリストからコピーしてリストを作成する。
（２）ＣＡＤ図面（系統図、単線結線図、シーケンス図）からアイソレーションリストを作成する。
【０００９】
このようなコンピュータ支援によるアイソレーションリストの作成方法は、対象となるプラント設備の機器は、全て「機種−系統−デバイス」という形式で区分されていることが前提であり、アイソレーション対象機器は更に「機器＋操作対象」で表現されていることが前提となっている。
【００１０】
このため「機種−系統−デバイス」という形式で区分され器機を基に、系統図上の機器を選択することで、ＣＡＤシンボルに登録された「機器番号＋操作対象」にてアイソレーションリストを自動的に作成することができる。
【特許文献１】特開２００３−２０２９２０
【発明の開示】
【発明が解決しようとする課題】
【００１１】
しかしながら、一般的な原子炉プラント、その他の業種のプラントでは、プラント設備の機器が全て「機種−系統−デバイス」という形式で区分されているという前提条件が通用しない場合が多々あり、前提条件が違うためにコンピュータ支援機能を活用することができず、手作業に近いアイソレーションリストの作成を余儀なくされている。
【００１２】
勿論、対象とするプラント設備について、全ての機器を「機種−系統−デバイス」という形式で区分するマスタデータをシステムに登録すれば、コンピュータ支援によるアイソレーションリストの自動生成が可能となるが、例えば原子炉プラントにおいては、プラントの複雑性からその機器数は数万点に及び、また、それらの機器を操作するためのスイッチ、ジャンパなどの操作対象については、数十万点に及ぶ。このことからマスタデータをシステムに登録し、メンテナンスを実施していくことが非常に困難な業務であるということができる。
【００１３】
本発明は、系統等の器機の相互関係を示す関連情報を持たない図面データを持つ設備であっても、初期段階における手作業によるアイソレーションリスト作成時に関連情報を持たせて保存しておき、作成済みのアイソレーションリストの機器の関連情報を利用して効率的にアイソレーションリストを作成可能なコンピュータ支援のためのアイソレーションリスト作成プログラム、方法及びシステムを提供することを目的とする。
【課題を解決するための手段】
【００１４】
本発明は、コンピュータにより実行させてアイソレーションリストを作成するためのプログラムを提供する。
【００１５】
本発明のプログラムは、コンピュータに、
アイソレーション機器の主従関係の情報が付加されたアイソレーションリストを履歴ファイルに保存する保存ステップと、
画面表示された設備の系統図に対する指定操作に基づいてアイソレーション範囲を設定する範囲設定ステップと、
設定範囲に存在するアイソレーション機器を抽出して主機器として編集中のアイソレーションリストに登録する主機器登録ステップと、
編集中のアイソレーションリストから主機器を順次選択し、選択され主機器に対し従機器の関係にあるアイソレーション機器を履歴ファイルから検索して従機器リストを表示する従機器検索ステップと、
従機器リストの選択操作に基づいて選択された従機器を編集中のアイソレーションリストの対応する主機器の後に挿入配置してリストを完成させる従機器登録ステップと、
を実行させることを特徴とする。
【００１６】
ここで保存ステップは、初期段階において手作業で作成されたアイソレーションリストを履歴ファイルに保存する。またアイソレーションリストの従機器は、主機器に関する電源系統等の単線結線図から抽出されたスイッチ類等の機器、シーケンス図から抽出されたジャンパ類を含む。またアイソレーションリストは、表示項目として機器番号、主機器か従機器かを示す機器区分情報、更に主従関係を示す関連機器情報を含む。
【００１７】
アイソレーションリストは、更に、従機器の設定を解除する関連削除情報を表示項目として備え、メンテナンス処理により必要に応じて関連削除情報を有効に設定してリスト内容を変更せずに主従関係を解除させる。
【００１８】
また範囲設定ステップは、系統図としてＣＡＤ図面を表示し、ＣＡＤ図面の中の保守対象機器の指定操作に基づいてアイソレーション範囲を自動設定し、従機器検索ステップは、ＣＡＤ図面上の主機器の指定操作に対し、指定され主機器に対し従機器の関係にあるアイソレーション機器を履歴ファイルから検索して従機器リストをウインドウ表示する。
【００１９】
本発明は、コンピュータ支援によるアイソレーションリスト作成方法を提供する。本発明のアイソレーションリスト作成方法は、
アイソレーション機器の主従関係の情報が付加されたアイソレーションリストを履歴ファイルに保存する保存ステップと、
画面表示された設備の系統図に対する指定操作に基づいてアイソレーション範囲を設定する範囲設定ステップと、
設定範囲に存在するアイソレーション機器を抽出して主機器として編集中のアイソレーションリストに登録する主機器登録ステップと、
編集中のアイソレーションリストから主機器を順次選択し、選択され主機器に対し従機器の関係にあるアイソレーション機器を履歴ファイルから検索して従機器リストを表示する従機器検索ステップと、
従機器リストの選択操作に基づいて選択された従機器を編集中のアイソレーションリストの対応する主機器の後に挿入配置してリストを完成させる従機器登録ステップと、
を備えたことを特徴とする。
【００２０】
本発明は、コンピュータ支援によるアイソレーションリスト作成装置を提供する。本発明のアイソレーションリスト作成装置は、
アイソレーション機器の主従関係の情報が付加されたアイソレーションリストを履歴ファイルに保存する履歴保存部と、
画面表示された設備の系統図に対する指定操作に基づいてアイソレーション範囲を設定する範囲設定部と、
設定範囲に存在するアイソレーション機器を抽出して主機器として編集中のアイソレーションリストに登録する主機器登録部と、
編集中のアイソレーションリストから主機器を順次選択し、選択され主機器に対し従機器の関係にあるアイソレーション機器を履歴ファイルから検索して従機器リストを表示する従機器検索部と、
従機器リストの選択操作に基づいて選択された従機器を編集中のアイソレーションリストの対応する主機器の後に挿入配置してリストを完成させる従機器登録部と、
を備えたことを特徴とする。
【００２１】
なお、本発明のアイソレーションリスト作成方法及び装置の詳細は、本発明のプログラムの場合と基本的に同じになる。
【発明の効果】
【００２２】
本発明によれば、第１に、数十万点に及ぶアイソレーション機器のマスタデータの整備が可能となる。即ち、本発明は、過去に作成したアイソレーションリストを仮想的なマスタデータとして利用しているため、通常のシステムで必要となる機器の変更に伴うアイソレーション機器マスタをメンテナンスする必要がなくなる。原子炉プラントの場合、アイソレーション機器は数十万機器にわたり、マスタを整備しようとした場合、膨大な費用がかかるが、このメンテナンスコストを劇的に削減することが可能となる。即ち、原子炉プラントの場合、アイソレーションリストが作成される数回の定期点検を通じ、マスタデータが整うことになる。
【００２３】
第２に、本発明によれば、多数の図面を参照することなくアイソレーションリストの作成できる。アイソレーションリストを作成する場合には、系統図、シーケンス図、単線結線図など、多くの図面を参照し、蛍光ペンと駆使して、アイソレーションリストを手作業に近い状態で作成しており、この手間は非常に大きなものである。これに対し本発明によれば、系統図のアイソレーション範囲にある主機器の情報から過去のノウハウ及び実績である作成済みのアイソレーションリストを自動的に検索表示し、これによってスイッチ及びジャンパ類などの設定まで判別ができ、アイソレーションリスト作成作業の効率化および、安全性向上を図ることが可能となる。
【００２４】
第３に、本発明によれば、図面のメンテナンスにかかるコストを削減できる。機器番号などで関連の取れていない主従関係の機器をＣＡＤ図面上で判断するためには、ＣＡＤ図面上にその情報を埋め込む必要が出てくる。しかし、埋め込み情報はＣＡＤ図面上には表示（可視化）されないため、図面のメンテナンスの際に、変更操作を忘れることが多々ある。この図面メンテナンスが悪いと、システムが正常に動作しなくなる。そこで本発明にあっては、ＣＡＤ図面に対し機器の主従関係を外だし管理としており、ＣＡＤ図面上のパラメータとして管理する必要がないため、メンテナンスが簡単且つ容易であり、メンテナンスに係る運用コストを削減できる。
【００２５】
第４に、本発明によれば、機器を全て「機種−系統−デバイス」といった形式で区分するという特殊なデータ環境を必要とせず、現在運用中のプラントの機器番号などのキーになる情報を変更することなく、コンピュータ支援によるアイソレーションリストの作成が可能になり、原子力発電所プラントに関わらず、様々なプラント保守作業への柔軟な対応が可能になる。
【発明を実施するための最良の形態】
【００２６】
図１は本発明によるアイソレーションリスト作成装置の機能構成のブロック図である。図１において、例えば原子力発電所などのプラントを対象に設けられた保守管理システムに本発明のアイソレーションリスト作成装置が設置されており、システム構成としては、本発明のアイソレーションリスト作成装置として機能する保守管理クライアント１０に対し、ＬＡＮなどのネットワーク１６を介して図面管理サーバ１２と保守管理データベースサーバ１４を接続している。
【００２７】
図面管理サーバ１２には、機器番号ファイル１８、系統図ファイル２０、単線結線図ファイル２２及びシーケンス図ファイル２４などの図面ファイルが接続されている。また保守管理データベースサーバ１４にはアイソレーションリスト履歴ファイル２６が接続されており、過去に手作業及び本発明の保守管理クライアント１０により作成されたアイソレーションリストを履歴情報として保存している。
【００２８】
本発明のアイソレーションリスト作成装置として機能する保守管理クライアント１０には、通信制御部２８、編集処理部３０が設けられている。編集処理部３０には、アイソレーション手動作成部３２、メンテナンス処理部３４及びアイソレーションリスト作成部３６が設けられている。また編集処理部３０に対しては、アイソレーションリスト・フォーマットファイル３８とアイソレーションリスト・ワークファイル４０が接続されている。
【００２９】
アイソレーションリスト手動作成部３２は、従来と同様、手作業によりアイソレーションリストを作成する際のコンピュータ支援処理を行う。アイソレーションリスト手動作成部３２によるアイソレーションリストの作成は、本発明のアイソレーションリスト作成装置を導入した初期段階におけるプラント機器の故障に対する修理点検や定期点検の際に特定の機器を隔離するためのアイソレーション操作の際に、アイソレーションリスト手動作成装置３２の機能によるコンピュータ支援の下に、手作業によりアイソレーションリストを作成する。
【００３０】
アイソレーションリスト手動作成部３２によりコンピュータ支援の下に手作業で作成されたアイソレーションリストは、保守管理データベースサーバ１４のアイソレーションリスト履歴ファイル２６に保存される。
【００３１】
メンテナンス処理部３４はアイソレーションリスト履歴ファイル２６に保存されている過去に作成したアイソレーションリストが、その後のアイソレーション操作に伴うリスト作成で内容変更があった際に、最新のアイソレーションリストの内容を維持するようにリスト内容のメンテナンス処理を実行する。
【００３２】
アイソレーションリスト作成部３６は本発明による機能を実現する部分であり、範囲設定部４２、主機器登録部４４、従機器検索部４６及び従機器登録部４８の機能を備えている。
【００３３】
範囲設定部４２は、図面管理サーバ１２で管理している系統図ファイル２０から取得して画面表示された設備の系統図に対するオペレータの指定操作に基づいてアイソレーション範囲を設定する。この表示画面の系統図に対するアイソレーション範囲の設定は、画面表示された系統図上でマウスカーソルなどによりアイソレーション機器を含む範囲を線で囲むなどして指定する。
【００３４】
主機器登録部４４は、範囲設定部４２で設定されたアイソレーション設定範囲に存在するアイソレーション機器を抽出して、主機器として編集中のアイソレーションリストに登録する。
【００３５】
従機器検索部４６は、編集中のアイソレーションリストから主機器を順次選択し、選択された主機器に対し従機器の関係にあるアイソレーション機器を、保守管理データベースサーバ１４で管理しているアイソレーションリスト履歴ファイル２６の過去に作成されたアイソレーションリストの中から検索し、従機器リストを表示する。
【００３６】
従機器登録部４８は、従機器検索部４６によって表示された従機器リストに列挙された従機器の中から、オペレータの選択操作に基づいて選択された従機器を編集中のアイソレーションリストの対応する主機器の後ろに挿入配置してリストを完成させる。
【００３７】
図１における保守管理クライアント１０は、例えば図２のようなコンピュータのハードウェア資源により実現される。図２のコンピュータにおいて、ＣＰＵ１０１のバス１０４にはＲＡＭ１０２、ハードディスクコントローラ（ソフト）１０５、フロッピィディスクドライバ（ソフト）１１０、ＣＤ−ＲＯＭドライバ（ソフト）１１４、マウスコントローラ１１８、キーボードコントローラ１２２、ディスプレイコントローラ１２６、通信用ボード１３０が接続される。
【００３８】
ハードディスクコントローラ１０５はハードディスクドライブ１０６を接続し、本発明のアイソレーションリスト作成プログラムをローディングしており、コンピュータの起動時にハードディスクドライブ１０６から必要なプログラムを呼び出して、ＲＡＭ１０２上に展開し、ＣＰＵ１０１により実行する。
【００３９】
フロッピィディスクドライバ１１０にはフロッピィディスクドライブ（ハード）１１２が接続され、フロッピィディスク（Ｒ）に対する読み書きができる。ＣＤ−ＲＯＭドライバ１１４に対しては、ＣＤドライブ（ハード）１１６が接続され、ＣＤに記憶されたデータやプログラムを読み込むことができる。
【００４０】
マウスコントローラ１１８はマウス１２０の入力操作をＣＰＵ１０１に伝える。キーボードコントローラ１２２はキーボード１２４の入力操作をＣＰＵ１０１に伝える。ディスプレイコントローラ１２６は表示部１２８に対して表示を行う。通信用ボード１３０は無線を含む通信回線１３２を使用し、ＬＡＮを介してネットワーク内の装置との間で通信を行う。
【００４１】
図３は本発明によるアイソレーションリスト作成時に表示する図面表示画面の説明図である。図３の図面表示画面５０にあっては、全体に系統図５１を表示すると共に、右下隅に単線結線図５２を表示している。系統図５１はポンプ５４の解体作業に必要なアイソレーション操作のための系統図５１の部分を表示しており、単線結線図５２にはポンプ５４に対する電源系統が表示される。
【００４２】
系統図５１において、ポンプ５４に対する周囲の配管には、エアバルブ５６、電磁バルブ５８、手動弁６０，６２、ポンプドレン弁６４が配置されており、ポンプ５４の運転を停止して解体作業のためのアイソレーション操作のため、これらの弁を操作する必要がある。
【００４３】
ポンプ５４に対しては、制御室スイッチ５４−１と現場温度計５４−２がリンク関係を持った保守対象機器として設けられている。また電磁バルブ５８に対しては切替スイッチ５８−１と現場スイッチ５８−２がリンク関係を持った保守対象機器として設けられている。なおエアバルブ５６についても、図示しない制御盤スイッチが、リンク関係のある保守対象機器として設けられている。
【００４４】
図４は図３の図面表示画面の系統図５１を対象にアイソレーション範囲を設定した図面表示画面の説明図である。図４において、アイソレーション範囲５５としては、解体作業となるポンプ５４を指定した際に、隔離操作する機器の範囲として、エアバルブ５６、電磁バルブ５８、手動弁６０，６２、ポンプドレン弁６４を含む範囲を設定している。
【００４５】
図５は図４のアイソレーション範囲５５について作成された本発明によるアイソレーションリストの説明図である。図５において、本発明のアイソレーションリスト６５は、作業項目６６として「ポンプ解体作業」の名称と作業期間「平成ｎｎ年ｍ月ｍｍ日〜平成ｎｎ年ｎ月ｎｎ日」を表示しており、これに続いてアイソレーション機器につきＮｏ．１〜Ｎｏ．１１となる一覧表を示している。
【００４６】
このアイソレーション機器の一覧表における表示項目としては、現場、制御室、操作盤などの場所７０、機器のアイソレーション操作内容７２、機器の復旧時の操作内容となる復旧７４、主機器か従機器かを示す主／従７６、機器の主従関係を示す関連機器情報としての関連機器７８、更に関連削除情報としての関連削除フラグ８０を設けている。
【００４７】
このような本発明のアイソレーションリスト６５における特徴は、機器番号６８で指定されるアイソレーション機器について、主／従７６によって設定された従機器について、関連機器７８によって主機器とのリンク関係を新たに設定している点が大きな特徴である。この主／従７６による主機器または従機器に対応して、関連機器７８には、主機器の場合には主機器自身の機器番号を登録し、従機器の場合にはリンク関係にある主機器の機器番号を登録している。
【００４８】
例えば図４のアイソレーション範囲５５に示した電磁バルブ５８を例にとると、電磁バルブ５８にはリンク関係のある保守対象機器として切替スイッチ５８−１と現場スイッチ５８−２が接続されており、この点について図５のアイソレーションリスト６５にあっては、Ｎｏ．９〜１１に示すように登録している。
【００４９】
Ｎｏ．９は電磁バルブ５８であり、機器番号６８として「ＭＶ−０２０−１００」が記述され、主／従７６については「主機器」が登録され、更に関連機器７８としては機器自身の機器番号が登録されている。
【００５０】
次のＮｏ．１０の切替スイッチ５８−１については、機器番号６８として「ＳＷ−０２０−１」が記述され、主／従７６は主機器である電磁バルブ５８に対しリンク関係にあることから「従機器」が記述され、この場合には関連機器７８にはリンク関係を持つ主機器である電磁バルブ５８の機器番号「ＭＶ−０２０−１００」が登録されている。
【００５１】
更にＮｏ．１１には、電磁バルブ５８に対しリンク関係にある現場スイッチ５８−２の機器番号「ＲＭＳ−０２０−１」が登録され、主／従７６は電磁バルブ５８を主機器とする従属関係にあることから「従機器」が登録され、関連機器７８についてはリンク関係を持つ主機器である電磁バルブ５８の機器番号「ＭＶ−０２０−１００」を登録している。
【００５２】
この点は、Ｎｏ．１〜Ｎｏ．３の主機器であるポンプ５４に対する従機器としての制御室スイッチ５４−１と現場温度計５４−２に設けている温度トリップの従機器としての登録、またＮｏ．４，５に示すエアバルブ５６を主機器として、その従機器とした図示しない制御盤シーケンススイッチについても同様である。なおＮｏ．６〜８の手動弁６０，６２及びポンプドレン弁６４については、他のアイソレーション機器との間で従属関係はなく、それぞれ主機器として単独に存在している。
【００５３】
この図５に示したアイソレーションリスト６５は、図１のシステムにおいて、アイソレーションリスト履歴ファイル２６に過去に作成されたアイソレーションリストの保存がないか又は少ない初期段階にあっては、保守管理クライアント１０の編集処理部３０に設けているアイソレーションリスト手動作成部３２によるコンピュータ支援の下に、オペレータが図３に示したような図面表示画面５０における系統図５１及び単線結線図５２、更にはシーケンス図を見ながら、例えば図４のアイソレーション範囲５５に存在する機器を主機器として、各主機器にリンク関係にある保守対象機器を単線結線図及びシーケンス図から選び出して従機器として登録することで、手作業によって図５に示すようなアイソレーションリスト６５を作成している。
【００５４】
一方、図１のシステムにおいて、アイソレーションリスト履歴ファイル２６に保守管理クライアント１０を備えたシステムによる運用を開始して十分な量の過去のアイソレーションリストが保存された場合には、図１の編集処理部３０に設けているアイソレーションリスト作成部３６が機能し、アイソレーションリスト履歴ファイル２６に保存している過去に作成されたアイソレーションリストを利用して、アイソレーション範囲に存在する主機器の指定に基づいて自動的に従機器検索リストを作成して表示し、この従機器検索リストについてオペレータが必要な従機器を選択指定することで、主機器に対し自動的に従機器を挿入配置するリスト作成が可能となる。
【００５５】
例えば原子炉プラントの場合であれば、数回の定期点検を通じて本発明によるアイソレーションリスト作成部３６による作成処理に必要な過去のアイソレーションリストを保存したアイソレーションリスト履歴ファイル２６が整うことになる。
【００５６】
ここで図１の図面管理サーバ１２における図面ファイルは、例えば原子炉プラントの場合、系統図ファイル２０の系統図は１炉当り３００枚程度であり、これに伴い単線結線図ファイル２２の図面数は数百枚程度となり、更にシーケンス図ファイル２４のシーケンス図は１万点程度となっている。
【００５７】
このため、編集処理部３０のアイソレーションリスト手動作成部３２によるコンピュータ支援の下に手作業で行うアイソレーションリストの作成には、系統図からアイソレーション範囲を定めると共に、アイソレーション範囲にあるアイソレーション機器につき、単線結線図を参照してスイッチ類のリストを作り、更に単線結線図を参照してジャンパ類のリストを作ることから、非常に困難な業務となる。
【００５８】
しかし、このような手作業による困難なアイソレーションリストの作成業務につき、数回の点検が済んだ段階で、本発明によるアイソレーションリスト作成部３６による過去のアイソレーションリスト履歴ファイル２６を利用した従機器の設定が可能となる。
【００５９】
このように過去のアイソレーションリストを利用してアイソレーション機器と主従関係にある従機器の設定が簡単にできることで、従来の手作業で必要としていた数百枚にも及ぶ単線結線図からのスイッチ類のリストの作成や、１万点にも及ぶシーケンス図からのジャンプ類のリストの作成が不要となり、アイソレーションリスト作成作業における作業負荷を大幅に低減することができる。
【００６０】
図６は図５のアイソレーション範囲５５におけるアイソレーション機器を主機器として登録した具体的な編集画面の説明図である。図６の編集画面８２にあっては、図１のアイソレーションリスト・フォーマットファイル３８から生成されたフォーマットリスト８４が表示され、このフォーマットリスト８４における機器番号に図４のアイソレーション範囲５５から抽出したアイソレーション機器の機器番号を入力し、表示項目として示された主従関係を表わす「機種区分」について設けているダイアログを開いて選択することで、全てについて主機器の登録が行われている。
【００６１】
このような主機器をフォーマットリスト８４に登録した編集画面はアイソレーションリストの骨格を成す基本的な編集画面となる。次に、図６の編集画面８２のフォーマットリスト８４に登録された主機器を１つずつ指定して従機器検索リストを表示させる。
【００６２】
例えば、図６のフォーマットリスト８４におけるＮｏ．２のエアバルブ５６の機器番号「ＲＭＳ−０２０−１０」を指定して従機器検索リストを要求すると、図１の保守管理データベースサーバ１４に対し検索要求を行い、アイソレーションリスト履歴ファイル２６に保存している過去のアイソレーションリストから主機器「ＡＶ−０２０−１０」に対し従属関係にある従機器を含むアイソレーションリストを、例えば図７（Ａ）のように検索する。
【００６３】
図７（Ａ）のアイソレーションリスト８４−１は、主機器であるエアバルブ５０の機器番号「ＡＶ−０２０−１０」に対し設定している従機器を含むアイソレーションリストの部分を取り出しており、従機器は制御盤スイッチである機器番号「ＳＥＱ−０２０−１０」となっている。
【００６４】
このようなアイソレーションリスト８４−１が検索された場合には、図７（Ｂ）に示す従機器検索リスト８６を取得する。従機器検索リスト８６は、図６の編集画面８２上にウィンドウもしくはフォーマットリスト８４のスクロール時の項目として表示され、従機器検索リスト８６におけるＮｏ．１，Ｎｏ．２についてチェックボックス（図示せず）が設けられていることから、必要な従機器をオペレータがチェックボックスで選択することで、自動的に図６のフォーマットリスト８４における主機器の後ろに指定された従機器が挿入配置される。
【００６５】
図８の編集画面８８は、図７（Ｂ）のような従機器検索リスト８６に基づく従機器の指定で従機器が主機器に続いて挿入配置されたアイソレーションリストの例であり、この例ではＮｏ．４のエアバルブである機器番号「ＡＶ−０２０−１０」の後ろに従機器として制御盤スイッチの機器番号「ＳＥＱ−０２０−１０」が従機器として選択されたことに基づいて挿入配置されている。
【００６６】
このようにして、全ての主機器について過去のアイソレーションリストの参照に従機器検索リストを求め、その中から必要な従機器を指定することで、主機器に続いて従機器が配列されたアイソレーションリストが完成することになる。
【００６７】
図９は、図１のアイソレーションリスト手動作成部３２による手作業によるアイソレーションリストの作成を支援するアイソレーションリストマニュアル作成処理のフローチャートである。
【００６８】
図９において、アイソレーションリストマニュアル作成処理にあっては、ステップＳ１でアイソレーション操作を行う部分の系統図を表示した状態で、ステップＳ２でアイソレーション範囲を指定し、ステップＳ３で指定範囲のアイソレーション機器をアイソレーションフォーマットとして準備された編集中のアイソレーションリストに主機器として登録する。
【００６９】
ステップＳ４で主機器の登録が終了したならば、ステップＳ５に進み、アイソレーションリストから主機器を選択した後、ステップＳ６で選択した主機器の単線結線図を表示し、ステップＳ７で単線結線図からスイッチ類の機器を選択してアイソレーションリストに従機器として登録する。
【００７０】
続いて、ステップＳ８で選択した主機器のシーケンス図を表示し、ステップＳ９でシーケンス図からジャンパ線などの機器を検索して、アイソレーションリストに従機器として登録する。ステップＳ１０で全ての主機器の処理済みか否かチェックし、処理済みでなければ、ステップＳ５に戻って次の主機器を選択し、全ての主機器の処理が済んでいれば、ステップＳ１１に進み、修正指示の有無をチェックする。
【００７１】
もし修正指示があればステップＳ１に戻り、系統図を表示して、最初から手作業による処理を繰り返す。修正指示がなければ、ステップＳ１２で確認指示を待ち、確認指示があれば、ステップＳ１３で作成したアイソレーションリストをアイソレーションリスト履歴ファイル２６に保存する。
【００７２】
この図９のアイソレーションリストマニュアル作成処理にあっては、画面における系統図、単線結線図、シーケンス図の表示については、コンピュータ支援により例えば機器番号などによる検索でできるが、それ以外のアイソレーションリストに必要な主機器、従機器の選択による登録は全てオペレータの手入力により行われることになる。
【００７３】
図１０は図１のアイソレーションリスト作成部３６による本発明の作成処理のフローチャートである。図１０において、ステップＳ１で画面上にアイソレーション操作の対象となる機器を含む系統図を表示し、ステップＳ２で画面の系統図上でのマウスドラックなどにより線で囲む指定操作に基づきアイソレーション範囲を設定する。
【００７４】
続いて、ステップＳ３で設定範囲のアイソレーション機器を抽出して、アイソレーションフォーマットに基づいて作られた編集中のアイソレーションリストに主機器として登録して表示する。このアイソレーション機器の主機器としての登録はオペレータが機器番号を手入力するか、系統図の機器番号をドラックしてコピー処理によりアイソレーションリストに移すドラックアンドコピーとすることもできる。
【００７５】
次に、ステップＳ４で編集中のアイソレーションリストから主機器の選択操作に基づき機器番号を取り出し、ステップＳ５でアイソレーションリスト履歴ファイル２６に格納している過去のアイソレーションリストから、主機器に対し従機器の関係にあるアイソレーション機器の従機器検索リストを作成して表示する。
【００７６】
続いて、ステップＳ６で表示している従機器検索リストの指定操作を行い、ステップＳ７で指定操作の終了が判別されると、ステップＳ８で指定した従機器があれば、ステップＳ９で編集中のアイソレーションリストの主機器の後ろに検索した従機器を配置する。従機器の指定がなければステップＳ９の処理はスキップする。
【００７７】
続いてステップＳ１０で全ての主機器の処理済みの有無をチェックし、未処理であればステップＳ４に戻り、次の主機器の選択操作に基づき従機器を登録する処理を繰り返す。ステップＳ１０で全ての主機器の処理が済んだ場合には、ステップＳ１１に進み、修正指示の有無をチェックし、もし修正指示があればステップＳ４に戻り、修正を必要とする主機器の選択操作に基づき従機器検索リストを表示し、選択する従機器を変更して新たな従機器をリストに配置するなどの修正を行う。
【００７８】
ステップＳ１１で修正指示がなければ、ステップＳ１２に進み、表示している完成済みのアイソレーションリストを確認して、確認操作があると、ステップＳ１３に進み、アイソレーションリストをアイソレーションリスト履歴ファイルに転送保存することになる。
【００７９】
次に、図１の編集処理部３０に設けているメンテナンス処理部３４によるアイソレーション履歴管理ファイル２６に保存している過去のアイソレーションファイルのメンテナンス処理を説明する。
【００８０】
いま図１のアイソレーションリスト履歴ファイル２６に、例えば図１１（Ａ）〜（Ｃ）のようなアイソレーションリスト８４−１〜８４−３が過去のアイソレーションリストとして保存されていたとする。ここでアイソレーションリスト８４−１が最も古く、次にアイソレーションリスト８４−２が古く、アイソレーションリスト８４−３が最も新しいものとする。
【００８１】
このうち図１１（Ａ）のアイソレーションリスト８４−１の従機器は制御盤スイッチである機器番号「ＳＥＱ−０２０−１０」であり、図１１（Ｂ）のアイソレーションリスト８４−１の従機器は制御盤スイッチである機器番号「ＳＥＱ−０２０−１１」であり、更に、図１１（Ｃ）の最新のアイソレーションリスト８４−３の従機器は制御盤スイッチの機器番号「ＳＥＱ−０２０−１１」及び「ＳＥＱ−０２０−１２」となっている。
【００８２】
アイソレーションリスト８４−１〜８４−３を比較してみると、主機器である機器番号「ＡＶ−０２０−１０」の従機器として、古いアイソレーションリスト８４−1にあっては機器番号「ＳＥＱ−０２０−１０」であったものが、アイソレーションリスト８４−２にあっては機器番号「ＳＥＱ−０２０−１１」に変更されている。
【００８３】
このように場合には、古いアイソレーションリスト８４−1における従機器の機器番号「ＳＥＱ−０２０−１０」は主機器に対し従属関係が既になくなっていることから、従属関係が削除されたことを設定するメンテナンスを必要とする。
【００８４】
このような場合、図１１（Ａ）の古いアイソレーションリスト８４−１について、メンテナンス処理部により、例えば図１２のような機器状態設定画面９０を開いてメンテナンスを行う。この機器状態設定画面９０は、図１１（Ａ）のアイソレーションリスト８４−１の主機器である機器番号「ＡＶ−０２０−１０」に対する従機器の機器番号「ＳＥＱ−０２０−１０」がリスト表示され、機器番号の左側に関連削除９２としてチェックボックスが設けられている。
【００８５】
そこで機器番号「ＳＥＱ−０２０−１０」について主機器との従属関係を削除したい場合には、その関連削除９２のチェックボックスにチェックを入れればよい。そして、チェックを入れた後に機器状態設定画面９２を閉じると、図１１（Ａ）のアイソレーションリスト８４−１の関連削除フラグが、それまでの０から１にセットされる。
【００８６】
このように関連削除フラグが１にセットされた場合には、これに対応したＮｏ．２における主従関係の「従機器」は無効化され、アイソレーションリスト８４−１の内容そのものに変更はないが、関連削除フラグによって従機器の主機器に対する従属関係を削除している。
【００８７】
このため、図１１（Ａ）〜（Ｃ）から図１１（Ｄ）の従機器検索リスト８６−１を作成した場合には、従機器である機器番号「ＳＥＱ−０２０−１０」については従機器としての関係が削除されているために表示されず、機器番号「ＳＥＱ−０２０−１１」、「ＳＥＱ−０２０−１２」が表示される。
【００８８】
図１３は編集処理部３０のメンテナンス処理部３４によるアイソレーション機器メンテナンス処理のフローチャートである。図１３において、ステップＳ１で対象機器番号の指定があると、ステップＳ２に進み、指定機器番号を主機器とするアイソレーションリストをアイソレーションリスト履歴ファイルから検索して表示し、続いてステップＳ３でメンテナンス対象とする従機器を含む状態設定画面を展開する。
【００８９】
この状態設定画面について、ステップＳ４で必要とする従機器について関連情報削除の設定をチェックボックスなどにより行い、ステップＳ５で画面の戻り操作を判別すると、ステップＳ６に進み、アイソレーションリストの関連削除フラグをセットすることで従機器の主機器に対する従属関係の関連を解除する。そしてステップＳ７で終了操作を判別すると、ステップＳ８でメンテナンス済みのアイソレーションリストをアイソレーションリスト履歴ファイルに保存する。
【００９０】
このようなアイソレーション機器メンテナンス処理を通じ、過去に作成したアイソレーションリストであっても、主機器に対し既に従機器として取り扱っていない場合には、主機器によるアイソレーションリスト履歴ファイルの参照による従機器検索リストに関連削除フラグをセットした従機器が不必要に列挙されることはなくなり、オペレータは有効に従機器として従属関係を持っている従機器についてリストから選択することができる。
【００９１】
また、過去に作成したアイソレーションリストのリスト内容を壊すことなく、関連削除フラグのセットによって従属関係を削除しているため、作成済みの過去のアイソレーションリストの資産内容が破壊されず、履歴保存としての機能は損なわれない。
【００９２】
図１４はアイソレーションリストを作成する際の系統図としてＣＡＤ図面を使用した本発明の他の実施形態を示したブロック図である。
【００９３】
図１４において、保守管理クライアント１０、保守管理データベースサーバ１４は、図１の実施形態と同じであるが、図面管理サーバ１２にあっては機器番号ファイル１８に加え新たにＣＡＤ図面ファイル９４を格納している。このＣＡＤ図面ファイル９４には全ての機器につき「機種−系統−デバイス」という形で分類されており、このためＣＡＤ図面を使用したアイソレーション範囲の自動設定と、アイソレーション範囲に含まれるアイソレーション機器の機器番号の指定で、自動的にアイソレーションリスト履歴ファイルの参照による従機器検索リストの作成が可能となる。
【００９４】
図１５は図１４の保守管理クライアント１０におけるアイソレーション作成処理で系統図をＣＡＤ図面として表示して、アイソレーション範囲の自動設定と従機器検索リストの作成表示を示した画面説明図である。
【００９５】
図１５において、ＣＡＤ表示画面９５にはアイソレーション操作を行う部分の系統図９６が表示されている。この状態で解体作業を行うポンプ５４をクリックすると、機器と系統の間にリンク関係をＣＡＤ情報として予め持っているため、ポンプ５４を中心にアイソレーション対象となるエアバルブ５６、電磁バルブ５８、手動弁６０，６２、ポンプドレン弁６４に加え、これらのアイソレーション機器に関連する単線結線図及びシーケンス図からリンク関係にあるスイッチ類やジャンパ類が自動的に選択され、系統図上で例えば太線によりアイソレーション範囲が表示される。
【００９６】
また、系統図９６のアイソレーション範囲の自動設定に伴い、アイソレーション機器の機器番号や名称がＣＡＤ情報から取得され、これによって図６に示したような主機器の登録内容を持つ骨格となる編集画面８２が自動的に生成される。
【００９７】
続いて、アイソレーション範囲が太く表示されたＣＡＤ表示図面９５において、例えばマウスカーソル９８によりアイソレーション機器として電磁バルブ５８を指定したとすると、電磁バルブ５８にＣＡＤ情報として埋め込まれている機器番号に基づき、図１３のアイソレーションリスト作成部３６における従機器検索部４６が保守管理データベースサーバ１４にアクセスして、アイソレーションリスト履歴ファイル２６から過去のアイソレーションリストを検索し、その下側に示すように従機器検索ウィンドウ１００を表示する。
【００９８】
この従機器検索ウィンドウ１００に表示されている従機器の機器番号につき、選択を必要とするチェックボックスをクリックすることで、電磁バルブ５８を主機器としてリンク関係にある従機器としての機器の設定登録が編集中のアイソレーションリストにおける主機器の後に挿入される従機器登録が行われる。
【００９９】
このように図１４のＣＡＤ図面を利用したアイソレーションリストの作成にあっては、編集画面のＣＡＤ図面としての系統図上でアイソレーション機器としての主機器及び従機器の選択指定が過去のアイソレーションファイルの資産を利用して効率的に作成でき、「機種−系統−デバイス」という形で区分されているＣＡＤ図面の情報を活用して、本発明によるアイソレーションリストの作成を同様にして効率よく行うことができる。
【０１００】
図１６は図１４のアイソレーションリスト作成部による本発明の作成処理のフローチャートである。図１６において、ステップＳ１でＣＡＤ作成の系統図を表示した状態で、ステップＳ２で系統図上の例えば対象機器として解体対象となるポンプの指定操作に基づきアイソレーション範囲が自動設定されて識別表示される。
【０１０１】
次にステップＳ３で、自動設定された範囲のアイソレーション機器につき自動抽出によりアイソレーションリストに主機器としての登録が行われる。続いてステップＳ４で、設定範囲のアイソレーション機器の指定操作に基づき、編集中のアイソレーションリストから主機器の機器番号を取り出し、ステップＳ５でアイソレーションリスト履歴ファイル２６に保存している過去のアイソレーションリストから主機器に対し従機器の関係にあったアイソレーション機器の従機器検索リストを作成して表示する。
【０１０２】
そしてステップＳ６で、作成表示された従機器検索リストの指定操作を行い、ステップＳ７で指定操作終了を判別すると、ステップＳ８で従機器の指定があれば、ステップＳ９で編集中のアイソレーションリストの主機器の後ろに検索した従機器を挿入配置する。
【０１０３】
続いてステップＳ１０で全ての主機器の処理済みの有無をチェックし、未処理であればステップＳ４に戻り、処理済みであればステップＳ１１に進み、完成したアイソレーションリストを表示する。
【０１０４】
そしてステップＳ１２で修正指示の有無をチェックし、修正指示があればステップＳ４に戻って再度修正を行い、修正指示がなければステップＳ１３で確認操作を待って、ステップＳ１４で完成したアイソレーションリストをアイソレーションリスト履歴ファイルに保存して一連の処理を終了する。
【０１０５】
また本発明は、図１及び図１３の保守管理クライアント１０を構成するコンピュータで実行されるアイソレーションリスト作成のためのプログラムを提供するものであり、このプログラムは図１０のフローチャートもしくは図１６のフローチャートに従った処理手順を持つことになる。
【０１０６】
なお本発明は、その目的と利点を損なうことのない適宜の変形を含み、更に上記の実施形態に示した数値による限定は受けない。
【０１０７】
ここで本発明の特徴をまとめて列挙すると次の付記のようになる。
（付記）
（付記１）
コンピュータに、
アイソレーション機器の主従関係の情報が付加されたアイソレーションリストを履歴ファイルに保存する保存ステップと、
画面表示された設備の系統図に対する指定操作に基づいてアイソレーション範囲を設定する範囲設定ステップと、
前記設定範囲に存在するアイソレーション機器を抽出して主機器として編集中のアイソレーションリストに登録する主機器登録ステップと、
前記編集中のアイソレーションリストから主機器を順次選択し、該選択され主機器に対し従機器の関係にあるアイソレーション機器を前記履歴ファイルから検索して従機器リストを表示する従機器検索ステップと、
前記従機器リストの選択操作に基づいて選択された従機器を前記編集中のアイソレーションリストの対応する主機器の後に挿入配置してリストを完成させる従機器登録ステップと、
を実行させることを特徴とするプログラム。（１）
【０１０８】
（付記２）
付記１記載のプログラムに於いて、前記保存ステップは初期段階において手作業で作成されたアイソレーションリストを前記履歴ファイルに保存することを特徴とするプログラム。
【０１０９】
（付記３）
付記１記載のプログラムに於いて、前記アイソレーションリストの従機器は、前記主機器に関する電源系統等の単線結線図から抽出されたスイッチ類、シーケンス図から抽出されたジャンパ類を含むことを特徴とするプログラム。
【０１１０】
（付記４）
付記１記載のプログラムに於いて、前記アイソレーションリストは、表示項目として機器番号、主機器か従機器かを示す機器区分情報、更に主従関係を示す関連機器情報を含むことを特徴とするプログラム。
【０１１１】
（付記５）
付記１記載のプログラムに於いて、前記アイソレーションリストは、更に、従機器の設定を解除する関連削除情報を表示項目として備え、メンテナンス処理により必要に応じて前記関連削除情報を有効に設定してリスト内容を変更せずに主従関係を解除させることを特徴とするプログラム。（２）
【０１１２】
（付記６）
付記１記載のプログラムに於いて、
前記範囲設定ステップは、前記系統図としてＣＡＤ図面を表示し、前記ＣＡＤ図面の中の保守対象機器の指定操作に基づいてアイソレーション範囲を自動設定し、
前記従機器検索ステップは、前記ＣＡＤ図面上の主機器の指定操作に対し、該指定され主機器に対し従機器の関係にあるアイソレーション機器を前記履歴ファイルから検索して従機器リストをウインドウ表示することを特徴とするプログラム。（３）
【０１１３】
（付記７）
コンピュータ支援によるアイソレーションリスト作成方法に於いて、
アイソレーション機器の主従関係の情報が付加されたアイソレーションリストを履歴ファイルに保存する履歴保存ステップと、
画面表示された設備の系統図に対する指定操作に基づいてアイソレーション範囲を設定する範囲設定ステップと、
前記設定範囲に存在するアイソレーション機器を抽出して主機器として編集中のアイソレーションリストに登録する主機器登録ステップと、
前記編集中のアイソレーションリストから主機器を順次選択し、該選択され主機器に対し従機器の関係にあるアイソレーション機器を前記履歴ファイルから検索して従機器リストを表示する従機器検索ステップと、
前記従機器リストの選択操作に基づいて選択された従機器を前記編集中のアイソレーションリストの対応する主機器の後に挿入配置してリストを完成させる従機器登録ステップと、
を備えたことを特徴とするアイソレーションリスト作成方法。（４）
【０１１４】
（付記８）
付記７記載のプログラムに於いて、前記保存ステップは初期段階において手作業で作成されたアイソレーションリストを前記履歴ファイルに保存することを特徴とするアイソレーションリスト作成方法。
【０１１５】
（付記９）
付記７記載のアイソレーションリスト作成方法に於いて、前記アイソレーションリストの従機器は、前記主機器に関する電源系統等の単線結線図から抽出されたスイッチ類等の機器、シーケンス図から抽出されたジャンパ類を含むことを特徴とするアイソレーションリスト作成方法。
【０１１６】
（付記１０）
付記７記載のアイソレーションリスト作成方法に於いて、前記アイソレーションリストは、表示項目として機器番号、主機器か従機器かを示す機器区分情報、更に主従関係を示す関連機器情報を含むことを特徴とするアイソレーションリスト作成方法。
【０１１７】
（付記１１）
付記７記載のアイソレーションリスト作成方法に於いて、前記アイソレーションリストは、更に、従機器の設定を解除する関連削除情報を表示項目として備え、メンテナンス処理により必要に応じて前記関連削除情報を有効に設定してリスト内容を変更せずに主従関係を解除させることを特徴とするアイソレーションリスト作成方法。
【０１１８】
（付記１２）
付記７記載のアイソレーションリスト作成方法に於いて、
前記範囲設定ステップは、前記系統図としてＣＡＤ図面を表示し、前記ＣＡＤ図面の中の保守対象機器の指定操作に基づいてアイソレーション範囲を自動設定し、
前記従機器検索ステップは、前記ＣＡＤ図面上の主機器の指定操作に対し、該指定され主機器に対し従機器の関係にあるアイソレーション機器を前記履歴ファイルから検索して従機器リストをウインドウ表示することを特徴とするアイソレーションリスト作成方法。
【０１１９】
（付記１３）
コンピュータ支援によるアイソレーションリスト作成装置に於いて、
アイソレーション機器の主従関係の情報が付加されたアイソレーションリストを履歴ファイルに保存する履歴保存部と、
画面表示された設備の系統図に対する指定操作に基づいてアイソレーション範囲を設定する範囲設定部と、
前記設定範囲に存在するアイソレーション機器を抽出して主機器として編集中のアイソレーションリストに登録する主機器登録部と、
前記編集中のアイソレーションリストから主機器を順次選択し、該選択され主機器に対し従機器の関係にあるアイソレーション機器を前記履歴ファイルから検索して従機器リストを表示する従機器検索部と、
前記従機器リストの選択操作に基づいて選択された従機器を前記編集中のアイソレーションリストの対応する主機器の後に挿入配置してリストを完成させる従機器登録部と、
を備えたことを特徴とするアイソレーションリスト作成装置。（５）
【０１２０】
（付記１４）
付記１３記載のアイソレーションリスト作成装置に於いて、前記保存ステップは初期段階において手作業で作成されたアイソレーションリストを前記履歴ファイルに保存することを特徴とするプログラム。
【０１２１】
（付記１５）
付記１３記載のアイソレーションリスト作成装置に於いて、前記アイソレーションリストの従機器は、前記主機器に関する電源系統等の単線結線図から抽出されたスイッチ類等の機器、シーケンス図から抽出されたジャンパ類を含むことを特徴とするアイソレーションリスト作成装置。
【０１２２】
（付記１６）
付記１３記載のアイソレーションリスト作成装置に於いて、前記アイソレーションリストは、表示項目として機器番号、主機器か従機器かを示す機器区分情報、更に主従関係を示す関連機器情報を含むことを特徴とするアイソレーションリスト作成装置。
【０１２３】
（付記１７）
付記１３記載のアイソレーションリスト作成装置に於いて、前記アイソレーションリストは、更に、従機器の設定を解除する関連削除情報を表示項目として備え、メンテナンス処理部により必要に応じて前記関連削除情報を有効に設定してリスト内容を変更せずに主従関係を解除させることを特徴とするアイソレーションリスト作成装置。
【０１２４】
（付記１８）
付記１３記載のアイソレーションリスト作成装置に於いて、
前記範囲設定部は、前記系統図としてＣＡＤ図面を表示し、前記ＣＡＤ図面の中の保守対象機器の指定操作に基づいてアイソレーション範囲を自動設定し、
前記従機器検索部は、前記ＣＡＤ図面上の主機器の指定操作に対し、該指定され主機器に対し従機器の関係にあるアイソレーション機器を前記履歴ファイルから検索して従機器リストをウインドウ表示することを特徴とするアイソレーションリスト作成装置。
【図面の簡単な説明】
【０１２５】
【図１】本発明によるアイソレーションリスト作成装置の機能構成のブロック図
【図２】図１の保守管理クライアントを実現するコンピュータのハードウェア環境の説明図
【図３】本発明によるアイソレーションリスト作成時に表示される図面表示画面の説明図
【図４】アイソレーション範囲を設定した図面表示画面の説明図
【図５】図４のアイソレーション範囲について作成された本発明によるアイソレーションリストの説明図
【図６】図５のアイソレーション機器を主機器として登録した編集画面の説明図
【図７】図６の編集画面の主機器の指定で検索されたアイソレーションリストと従機器検索リストの説明図
【図８】従機器を指定して登録した編集画面の説明図
【図９】図１のアイソレーションリスト手動作成部による作成処理のフローチャート
【図１０】図１のアイソレーションリスト作成部による本発明の作成処理のフローチャート
【図１１】メンテナンス対象となる複数のアイソレーションリストと従機器検索リストの説明図
【図１２】図１のメンテナンス処理部により従属関係を解除する際に表示された機器状態設定画面の説明図
【図１３】図１のメンテナンス処理部によるメンテナンス処理のフローチャート
【図１４】系統図としてＣＡＤ図面を使用した本発明の他の実施形態を示したブロック図
【図１５】ＣＡＤ図面につきアイソレーション範囲の自動設定と従機器検索リストを示した画面説明図
【図１６】図１４のアイソレーションリスト作成部による本発明の作成処理のフローチャート
【図１７】アイソレーション操作の対象となる設備の系統図表示画面の説明図
【図１８】図１７について作成した従来のアイソレーションリストの説明図
【符号の説明】
【０１２６】
１０：保守管理クライアント
１２：図面管理サーバ
１４：保守管理データベースサーバ
１６：ＬＡＮ
１８：機器番号ファイル
２０：系統図ファイル
２２：単線結線図ファイル
２４：シーケンス図ファイル
２６：アイソレーションリスト履歴ファイル
２８：通信制御部
３０：編集処理部
３２：アイソレーションリスト手動作成部
３４：メンテナンス処理部
３６：アイソレーションリスト作成部
３８：アイソレーションリスト・フォーマットファイル
４０：アイソレーションリスト・ワークファイル
４２：範囲設定部
４４：主機器登録部
４６：従機器検索部
４８：従機器登録部
５０：図面表示画面
５１：系統図
６５，８４−１〜８４−３：アイソレーションリスト
６６：作業項目
８６：従機器検索リスト
８８：従機器登録編集画面
９０：機器状態設定画面
９２：関連削除
９４：ＣＡＤ図面ファイル
９５：ＣＡＤ表示画面
９８：カーソル
１００：従機器検索用ウィンドウ
【図１】
2006178598.tif 000003
【図２】
2006178598.tif 000004
【図３】
2006178598.tif 000005
【図４】
2006178598.tif 000006
【図５】
2006178598.tif 000007
【図６】
2006178598.tif 000008
【図７】
2006178598.tif 000009
【図８】
2006178598.tif 000010
【図９】
2006178598.tif 000011
【図１０】
2006178598.tif 000012
【図１１】
2006178598.tif 000013
【図１２】
2006178598.tif 000014
【図１３】
2006178598.tif 000015
【図１４】
2006178598.tif 000016
【図１５】
2006178598.tif 000017
【図１６】
2006178598.tif 000018
【図１７】
2006178598.tif 000019
【図１８】
2006178598.tif 000020